(57)【特許請求の範囲】
【請求項１】
商品を梱包する梱包部材の長さ方向の両端部分を保持する緩衝部材であって、
前記緩衝部材は段ボールで構成され、長さ方向に一対の立上がり部と、その下端を連結する底部とで略Ｕ字形状に形成されて、前記各立上がり部には、立上がり方向に沿って段ボールの縦目を位置させるとともに、前記梱包部材は、その幅方向の両側面が各立上がり部の係止部で係止保持される一方、前記緩衝部材の底部には、幅方向の両端から梱包部材の底面に上端が接近するように立ち上がる折り曲げ部が形成され、この各折り曲げ部は、三角形状の折り込み部で前記各立上がり部にそれぞれ連結されていて、前記各折り曲げ部には、立上がり方向と直交する方向に段ボールの横目を位置させていることを特徴とする緩衝部材。
【請求項２】
前記各折り曲げ部の上端は、各立上がり部の少なくとも一方から延在する覆い部で覆われていることを特徴とする請求項１に記載の緩衝部材。
【発明の詳細な説明】
【技術分野】
【０００１】
本発明は、商品を梱包する梱包部材の長さ方向の両端部分を保持する緩衝部材に関する。
【背景技術】
【０００２】
従来、商品を梱包する梱包部材の長さ方向の両端部分を保持する緩衝部材がある（特許文献１参照）。
【０００３】
ところで、図１２（ａ）（ｂ）に示すように、商品（例えば画像形成装置の定着ユニット）を梱包する梱包部材１の長さ方向の両端部分〔左端部分のみ図示〕を保持する緩衝部材２が段ボールで構成され、長さ方向に一対の立上がり部２ａ，２ｂと、その下端を連結する底部２ｃとで略Ｕ字形状に形成されて、各立上がり部２ａ，２ｂには、段ボールの縦目を位置させるとともに、梱包部材１は、その幅方向の両側面１ａが各立上がり部２ａ，２ｂの係止部で係止保持されるようになっている。
【０００４】
具体的には、緩衝部材２の外側の立上がり部２ａに形成したスリット（係止部）２ｄに、梱包部材１の両側面１ａに形成した外側のスリット１ｂを上方から十字状に嵌め込んで係止保持するとともに、緩衝部材２の内側の立上がり部２ｂに形成した切欠き２ｅの段部（係止部）２ｆに、梱包部材１の両側面１ａに形成した内側のスリット１ｃを上方から十字状に嵌め込んで係止保持するようになっている。
【０００５】
そして、梱包部材１に緩衝部材２を組み付け、梱包部材１に商品を梱包した状態で段ボール箱に格納されることで、段ボール箱ごと運搬等されるようになる。
【特許文献１】特公平６−８４１８０号公報
【発明の開示】
【発明が解決しようとする課題】
【０００６】
しかしながら、緩衝部材２の内側の立上がり部２ｂには切欠き２ｅが形成されていて、この切欠き２ｅの段部２ｆに、梱包部材１の内側のスリット１ｃを上方から十字状に嵌め込んで係止保持するようになっているから、トラックによる運搬等の際に下方向（矢印ａ参照）の衝撃が梱包部材１に作用すると、その衝撃は、緩衝部材２の内側の立上がり部２ｂの段部２ｆで受け支えられるようになる。
【０００７】
このとき、立上がり部２ｂには段ボールの縦目を位置させているので、梱包部材１の下方向ａの衝撃は段部２ｆで受け支えることができる反面、切欠き２ｅを境にして立上がり部２ｂが左右方向（矢印ｂ参照）に広がる（逃げる）傾向になるので、それが広がり過ぎると、段部２ｆで衝撃を受け支えることができなくなって、緩衝性が悪くなるという問題があった。なお、別部材の緩衝材を梱包部材１の底面と緩衝部材２の底部２ｃとの隙間に挿入することも考えられるが、別部材の緩衝材が必要となる。
【０００８】
本発明は、前記問題を解消するためになされたもので、別部材の緩衝材を用いることなく、衝撃に対する緩衝性をより向上させた緩衝部材を提供することを目的とするものである。
【課題を解決するための手段】
【０００９】
前記課題を解決するために、本発明は、商品を梱包する梱包部材の長さ方向の両端部分を保持する緩衝部材であって、前記緩衝部材は段ボールで構成され、長さ方向に一対の立上がり部と、その下端を連結する底部とで略Ｕ字形状に形成されて、前記各立上がり部には、立上がり方向に沿って段ボールの縦目を位置させるとともに、前記梱包部材は、その幅方向の両側面が各立上がり部の係止部で係止保持される一方、前記緩衝部材の底部には、幅方向の両端から梱包部材の底面に上端が接近するように立ち上がる折り曲げ部が形成され、この各折り曲げ部は、三角形状の折り込み部で前記各立上がり部にそれぞれ連結されていて、前記各折り曲げ部には、立上がり方向と直交する方向に段ボールの横目を位置させていることを特徴とする緩衝部材を提供するものである。
【００１０】
請求項２のように、前記各折り曲げ部の上端は、各立上がり部の少なくとも一方から延在する覆い部で覆われていることが好ましい。
【発明の効果】
【００１１】
本発明によれば、段ボールで構成した緩衝部材の一対の立上がり部の下端を連結する底部に、幅方向の両端から梱包部材の底面に上端が接近するように立ち上がる折り曲げ部を形成し、この折り曲げ部を折り込み部で各立上がり部に連結し、かつ、折り曲げ部には、立上がり方向と直交する方向に段ボールの横目を位置させたから、梱包部材の下方向の衝撃で立上がり部が左右方向に広がって、段部で衝撃を受け支えることができなくなっても、梱包部材の下方向の衝撃は、折り曲げ部で受け支えることができるようになる。しかも、折り曲げ部には、横方向に段ボールの横目が位置して撓み易いので、衝撃が吸収され易くなる。
【００１２】
また、折り曲げ部を折り込み部で各立上がり部に連結したから、内側の立上がり部の基部が補強されて左右方向に広がりにくくなる。この結果、別部材の緩衝材を用いることなく、緩衝部材の衝撃に対する緩衝性がより向上するようになる。
【００１３】
請求項２によれば、覆い部で各折り曲げ部の上端を覆うことで、梱包部材の下方向の衝撃は、覆い部から各折り曲げ部に分散するから、緩衝性が安定するようになる。また、底部と各折り曲げ部と覆い部とで、各立上がり部に連結された閉断面のボックスが形成されることになるから、この点からも緩衝性が安定するようになる。
【発明を実施するための最良の形態】
【００１４】
以下、本発明を実施するための最良の形態について、図面を参照しながら詳細に説明する。
【００１５】
図１は、梱包部材５に緩衝部材６を組み付け、梱包部材５に商品（不図示）を梱包した状態で、横長四角形状の段ボール箱７に格納された状態の斜視図であり、段ボール箱７の四辺の上蓋７ａ〜７ｄは通常は閉じられていて、梱包部材５の商品を取り出す時に、図示のように開かれるものである。
【００１６】
図２は、梱包部材５に緩衝部材６を組み付けた組付け体を段ボール箱７から取り出した状態の正面側斜視図、図３は、同側面側斜視図、図４は、梱包部材５だけの正面側斜視図である。
【００１７】
先ず、梱包部材５について説明する。梱包部材５は、例えば画像形成装置の定着ユニット等の商品を梱包するもので、ほぼ横長四角筒形状になっていて、底面５ａと両側面５ｂ，５ｃ（５ｂが前側面、５ｃが後側面）と上面蓋部５ｄとで構成されている。
【００１８】
梱包部材５は、図６に展開図、図７に組み立て途中の斜視図を示すように、１枚の段ボールから切り取って組み立てられる。図６の展開図において、長さ方向Ｌに沿って段ボールの縦目を位置させている。
【００１９】
底面５ａの幅方向の両側部で、２本の谷折り線ｄ，ｅによって前側面５ｂと後側面５ｃとを直角に折り曲げる。その際に、底面５ａの長さ方向の両端部分に、２箇所の谷折り線ｆと１箇所の山折り線ｇとで逆Ｖ字部５ｅをそれぞれ形成するとともに、一方の端部分に、２本の谷折り線ｈと１本の山折り線ｉとで逆Ｌ字部５ｆを形成する。
【００２０】
また、長さ方向の両端部分において、前側面５ｂおよび後側面５ｃから底面５ａに僅かに跨るように幅方向にそれぞれ形成された打ち抜き穴ｊ，ｋによって、両側面５ｂ，５ｃに外側のスリット５ｇと内側のスリット５ｈとが形成されるようになる。
【００２１】
さらに、後側面５ｃの長さ方向のほぼ中間における上端部に１本の谷折り線ｍによって上面（蓋部）５ｄを直角に折り曲げる。これにより、梱包部材５の側面視において、底面５ａと前側面５ｂと後側面５ｃとで略Ｕ字状に形成された本体部分の上部に上面蓋部５ｄが位置して、ほぼ横長四角筒形状が構成されるようになる。
【００２２】
上面蓋部５ｄには、この上面蓋部５ｄを谷折り線ｍによって直角に折り曲げたときに、後側面５ｃの上端から立ち上がる突片５ｉが切り込み穴ｎによって形成されているとともに、上方に切り起こす一対の係止片５ｊが形成されている。
【００２３】
上面蓋部５ｄの先端部分には、取手ブロック５ｋが一体に形成されている。取手ブロック５ｋは、４本の谷折り線ｐによって第１片５ｐ、第２片５ｑ、第３片５ｒ、第４片５ｓを順次外向きに折り曲げることで、横長四角筒形状に形成されるようになる。
【００２４】
第１片５ｐには、この第１片５ｐを谷折り線ｐによって直角に折り曲げたときに、第１片５ｐの下端から立ち下がる突片５ｔが上面蓋部５ｄの切り込み穴ｌによって形成されているとともに、第２片５ｑを谷折り線ｐによって直角に折り曲げたときに、第１片５ｐの上端から立ち上げ可能な取手部５ｕが第２片５ｑの切り込み穴ｑによって形成されている。
【００２５】
また、第３片５ｒには、上面蓋部５ｄの一対の係止片５ｊを無理嵌めしてそれぞれ係止可能な一対の係止穴５ｖが形成されているとともに、第４片５ｓには、第１片５ｐの内面との間に、前側面５ｂの上端から立ち上がる突片５ｗを下方から差し込み可能な差し込み窪み５ｘが形成されている。
【００２６】
そして、上面蓋部５ｄの先端部分の取手ブロック５ｋは、４本の谷折り線ｐによって第１片５ｐ〜第４片５ｓを順次外向きに折り曲げることで、横長四角筒形状に形成し、その状態で、図４および図８のように、上面蓋部５ｄの係止片５ｊを第３片５ｒの係止穴５ｖに押し込んで無理嵌めすることで、上面蓋部５ｄの先端部分に取手ブロック５ｋが形状保持された状態で係止されるようになる。
【００２７】
その後、谷折り線ｍによって上面（蓋部）５ｄを下向きに折り曲げながら、前側面５ｂの突片５ｗの外面に第１片５ｐの突片５ｔの内面を沿わせると、前側面５ｂの突片５ｗが第４片５ｓの差し込み窪み５ｘに下方から差し込まれることで、上面蓋部５ｄの先端が前側面５ｂの上端に係止されて、梱包部材５の上開口が閉じられるようになる（図４の状態）。
【００２８】
取手部５ｕは、常時は、第２片５ｑの切り込み穴ｑ内に位置して（第２片５ｑにフラットな状態）、使用時には、谷折り線ｐから上向きに起き上がることで、第１片５ｐの上端から立ち上がるようになり、この取手部５ｕを指で摘んで上方に引き上げることで、谷折り線ｍによって上面蓋部５ｄが上向きに折り返されて、梱包部材５の上開口が開かれるようになる（図５の状態）。この梱包部材５の上開口から商品を出し入れすることができる。
【００２９】
すなわち、取手部５ｕは、段ボール箱７の上蓋７ａ〜７ｄを閉じた時に、折り曲げ力に抗して上蓋７ａ〜７ｄで押さえ込まれるとともに、上蓋７ａ〜７ｄを開いた時に、折り曲げ力の跳ね上がりで起き上がるようになっている。
【００３０】
次に、緩衝部材６について説明する。緩衝部材６は、梱包部材５の長さ方向の両端部分を保持するもので、長さ方向に一対の立上がり部６ａ，６ｂと、その下端を連結する底部６ｃとで略Ｕ字形状に形成されている。
【００３１】
緩衝部材６は、図９に展開図、図１０、図１１に組み立て途中の斜視図を示すように、１枚の段ボールから切り取って組み立てられる。図９の展開図において、長さ方向（立上がり部６ａ，６ｂの立上がり方向）Ｌに沿って段ボールの縦目を位置させている。
【００３２】
底面６ｃの長さ方向の両側部で、２本の谷折り線ｒ，ｓによって外側の立上がり部６ａと内側の立上がり部６ｂとを直角に折り曲げる。この外側の立上がり部６ａは、２本の山折り線ｔ，ｔによって内向きに２枚重ねに折り重ねられている。また、外側の立上がり部６ａには、打ち抜き穴ｕによって、上端部から下方に向かう外側の一対のスリット６ｄが形成されている。
【００３３】
内側の立上がり部６ｂの幅方向の中央位置には、２本の切り抜き線ｗ，ｗで切り抜かれ、２本の谷折り線ｖ，ｖによって、外側の立上がり部６ａの方向に下向きコ字状に折り曲げられる覆い（蓋）部６ｅが形成されている。
【００３４】
この覆い部６ｅが切り抜かれることで、内側の立上がり部６ｂには、切欠き６ｆの両側に一対の段部（係止部）６ｇが形成されるようになる。
【００３５】
底部６ｃの幅方向の両端部には、２本の谷折り線ｘによって、梱包部材５の底面５ａに上端が接近するように立ち上がる折り曲げ部６ｈがそれぞれ形成され、各折り曲げ部６ｈは、２本の谷折り線ｒ，ｓと連なる山折り線ｙとの関係で４５度の三角形状となる谷折り線ｚによって、各立上がり部６ａ，６ｂに向かって折り込まれる折り込み部６ｉで各立上がり部６ａ，６ｂにそれぞれ連結されている。各折り曲げ部６ｈと各折り込み部６ｆには、各立上がり部６ａ，６ｂの立上がり方向と直交する方向に段ボールの横目が位置されるようになる。
【００３６】
外側の立上がり部６ａ側の折り込み部６ｉと折り曲げ部６ｈとのコーナー部には、覆い（蓋）部６ｅのフック部６ｊを差し込み可能な差し込み溝６ｋが形成されている。
【００３７】
そして、図１０（ａ）（ｂ）のように、底面６ｃの長さ方向の両側部で、２本の谷折り線ｒ，ｓによって外側の立上がり部６ａと内側の立上がり部６ｂとを直角に折り曲げながら、２本の谷折り線ｘによって折り曲げ部６ｈを立ち上げつつ、山折り線ｙと谷折り線ｚによって、各立上がり部６ａ，６ｂに向かって折り込み部６ｉを三角形状に折り込むと、図１１（ａ）のように、各立上がり部６ａ，６ｂの間に、上面が開口したボックスが形成されるようになる。
【００３８】
その後、図１１（ｂ）のように、内側の立上がり部６ｂの覆い（蓋）部６ｅを２本の谷折り線ｖ，ｖによって折り曲げて、フック部６ｊを折り込み部６ｉと折り曲げ部６ｈとのコーナー部の差し込み溝６ｋに差し込むと、フック部６ｊが差し込み溝６ｋに係止されて、各立上がり部６ａ，６ｂの間のボックスの上面が閉じられるようになり、各立上がり部６ａ，６ｂの間に閉断面のボックスが形成されるようになる。
【００３９】
前記のようにして組み立てた梱包部材５に緩衝部材６を組み付けるには、前述した背景技術と同様に、緩衝部材６の外側の立上がり部６ａに形成したスリット（係止部）６ｄに、梱包部材５の両側面５ｂ，５ｃに形成した外側のスリット５ｇを上方から十字状に嵌め込んで係止保持するとともに、緩衝部材６の内側の立上がり部６ｂに形成した切欠き６ｆの段部（係止部）６ｇに、梱包部材５の両側面５ｂ，５ｃに形成した内側のスリット５ｈを上方から十字状に嵌め込んで係止保持する（図２、図３の状態）。
【００４０】
そして、梱包部材５に緩衝部材６を組み付け、梱包部材５に商品を梱包した状態で段ボール箱７に格納されるようになる。
【００４１】
前記実施形態においては、段ボールで構成した緩衝部材６の一対の立上がり部６ａ，６ｂの下端を連結する底部６ｃに、幅方向の両端から梱包部材５の底面５ａに上端が接近するように立ち上がる折り曲げ部６ｈを形成し、この折り曲げ部６ｈを折り込み部６ｉで各立上がり部６ａ，６ｂに連結し、かつ、折り曲げ部６ｈには、各立上がり部６ａ，６ｂの立上がり方向と直交する方向に段ボールの横目を位置させたものである。
【００４２】
したがって、梱包部材５の下方向の衝撃で緩衝部材６の内側の立上がり部６ｂが左右方向に広がって、段部６ｇで衝撃を受け支えることができなくなっても、梱包部材５の下方向の衝撃は、緩衝部材６の折り曲げ部６ｈで受け支えることができるようになる。しかも、折り曲げ部６ｈには、横方向に段ボールの横目が位置して撓み易いので、衝撃が吸収され易くなる。
【００４３】
また、折り曲げ部６ｈを折り込み部６ｉで各立上がり部６ａ，６ｂに連結したから、内側の立上がり部６ｂの基部が補強されて左右方向に広がりにくくなる。この結果、別部材の緩衝材を用いることなく、緩衝部材６の衝撃に対する緩衝性がより向上するようになる。
【００４４】
さらに、覆い部６ｅで各折り曲げ部６ｈの上端を覆うことで、梱包部材５の下方向の衝撃は、覆い部６ｅから各折り曲げ部６ｈに分散するから、緩衝性が安定するようになる。また、底部６ｃと各折り曲げ部６ｈと覆い部６ｅとで、各立上がり部６ａ，６ｂに連結された閉断面のボックスが形成されることになるから、この点からも緩衝性が安定するようになる。
【図面の簡単な説明】
【００４５】
【図１】本発明の実施形態に係る緩衝部材を梱包部材に組み付けて、段ボール箱に格納した状態の斜視図である。
【図２】緩衝部材を梱包部材に組み付けた組付け体を段ボール箱から取り出した状態の正面側斜視図である。
【図３】図２の側面側斜視図である。
【図４】梱包部材だけの正面側斜視図である。
【図５】段ボール箱に格納した梱包部材の取手部上方に引き上げて、上面（蓋部）を上向きに折り返すことで、梱包部材の上開口を開いた状態の斜視図である。状態の斜視図である。
【図６】梱包部材の展開図である。
【図７】梱包部材の組み立て途中の斜視図である。
【図８】梱包部材の要部斜視図である。
【図９】緩衝部材の展開図である。
【図１０】（ａ）（ｂ）は、緩衝部材の組み立て途中の斜視図である。
【図１１】（ａ）（ｂ）は、緩衝部材の組み立て途中の斜視図である。
【図１２】従来の緩衝部材であり、（ａ）は梱包部材に組み付けた要部斜視図、（ｂ）は斜視図である。
【符号の説明】
【００４６】
５    梱包部材
６    緩衝部材
６ａ  外側の立上がり部
６ｂ  内側の立上がり部
６ｃ  底部
６ｄ  外側のスリット
６ｅ  覆い部
６ｇ  段部
６ｈ  折り曲げ部
６ｉ  折り込み部
６ｊ  フック部
６ｋ  差し込み溝
【図１】
0005049091.tif 000002
【図２】
0005049091.tif 000003
【図３】
0005049091.tif 000004
【図４】
0005049091.tif 000005
【図５】
0005049091.tif 000006
【図６】
0005049091.tif 000007
【図７】
0005049091.tif 000008
【図８】
0005049091.tif 000009
【図９】
0005049091.tif 000010
【図１０】
0005049091.tif 000011
【図１１】
0005049091.tif 000012
【図１２】
0005049091.tif 000013